【手続補正書】
【提出日】平成20年6月23日(2008.6.23)
【手続補正１】
【補正対象書類名】明細書
【補正対象項目名】特許請求の範囲
【補正方法】変更
【補正の内容】
【特許請求の範囲】
【請求項１】  結合組織を骨に取り付ける骨アンカー器械であって、外側本体と、前記外側本体を軸方向に貫通して延びるルーメンとを有し、前記ルーメンは、内壁によって構成されていて、前記外側本体の遠位部分の中よりもその近位部分の中のほうが断面が小さく、前記内壁が少なくとも部分的に近位側の方向に内方へテーパするようになっており、前記骨アンカー器械は、前記ルーメンの遠位端部内に設けられた細長い楔部材を更に有し、前記楔部材は、前記楔部材の近位部分の断面がその遠位部分の断面よりも小さくなるようにこれに沿って近位側の方向に内方にテーパした外壁を有し、前記楔部材は、前記ルーメンの遠位端部内で軸方向に動くことができることを特徴とする骨アンカー器械。
【請求項２】  前記外側本体は、外面を有し、前記外面には、前記外側本体を骨内に繋留するように外方に延びる突起が設けられていることを特徴とする請求項１記載の骨アンカー器械。
【請求項３】  前記突起は、ねじ山から成ることを特徴とする請求項２記載の骨アンカー器械。
【請求項４】  前記突起は、複数の外方に伸長可能なリブから成ることを特徴とする請求項２記載の骨アンカー器械。
【請求項５】  前記外側本体のルーメンと実質的に同一の向きで前記楔部材を軸方向に貫通して延びていて、縫合糸を受け入れるルーメンを更に有していることを特徴とする請求項１記載の骨アンカー器械。
【請求項６】  前記楔部材は、湾曲した表面を備える遠位端部を有していることを特徴とする請求項１記載の骨アンカー器械。
【請求項７】  前記楔部材のテーパした遠位表面と前記内方に延びるルーメンの内壁は互いに協働して、前記外側本体の前記ルーメンと連通したテーパした遠位ルーメンを構成していることを特徴とする請求項１記載の骨アンカー器械。
【請求項８】  前記外側本体の前記ルーメンを貫通した状態で前記楔部材の遠位表面の周りに延びる縫合糸を更に有し、前記縫合糸は、前記骨アンカー器械から近位側へ延びる自由端部及び前記骨に固定されるべき軟組織に取り付けられた結合端部を有し、前記自由端部を近位側に向いた力により引張状態で配置したとき、縫合糸は、前記結合端部に加わる張力の増大により前記縫合糸が前記楔部材を近位側の方向に軸方向に動かすまで前記楔部材の周りに進み、前記楔部材の近位側への軸方向移動は、楔部材の近位表面が、内方に延びるルーメン内壁に対し、前記テーパした遠位ルーメン内の前記縫合糸の長さ部分を挟むのに十分近接するところに動くまで続くことを特徴とする請求項７記載の骨アンカー器械。
【請求項９】  前記ルーメンを構成する前記内壁は、実質的に半径方向に拡張不能であることを特徴とする請求項１記載の骨アンカー器械。
【請求項１０】  結合組織を骨に取り付ける骨アンカー器械であって、外側本体と、前記外側本体を軸方向に貫通して延びるルーメンとを有し、前記外側本体の近位部分内の前記ルーメンを構成する内壁が、前記近位部分の遠位側における前記外側本体の一部内の前記ルーメンを構成する内壁に対して内方に延びており、前記骨アンカー器械は、前記ルーメンの遠位部分内で軸方向に動くことができる楔部材から成る縫合糸クランプ部材と、前記ルーメンを貫通した状態で前記楔部材の遠位湾曲表面の周りに延びる縫合糸とを更に有し、前記縫合糸は、前記骨アンカー器械から近位側へ延びる自由端部及び前記骨に固定されるべき軟組織に取り付けられた結合端部を有し、前記自由端部を近位側に向いた力により引張状態で配置したとき、縫合糸は、前記結合端部に加わる張力の増大により前記縫合糸が前記楔部材を近位側の方向に軸方向に動かすまで前記楔部材の周りに進み、前記楔部材の近位側への軸方向移動は、楔部材の近位表面が、内方に延びるルーメン内壁に対し、前記楔部材とルーメン内壁との間に位置する前記縫合糸の長さ部分を挟むのに十分近接するところに動くまで続くことを特徴とする骨アンカー器械。
【請求項１１】  前記楔部材の遠位表面は、湾曲していることを特徴とする請求項１０記載の骨アンカー器械。
【請求項１２】  前記外側本体は、外面を有し、前記外面には、前記外側本体を骨内に繋留する外方に延びるリブが設けられていることを特徴とする請求項１０記載の骨アンカー器械。
【請求項１３】  前記楔部材を軸方向に貫通して延びていて、縫合糸を受け入れるルーメンを更に有していることを特徴とする請求項１０記載の骨アンカー器械。
【請求項１４】  結合組織を骨に取り付ける骨アンカー器械であって、開放された遠位端部を備えた外側本体と、前記外側本体を軸方向に貫通して延びるルーメンとを有し、前記外側本体の近位部分内の前記ルーメンを構成する内壁が、前記近位部分の遠位側における前記外側本体の一部内の前記ルーメンを構成する内壁に対して内方に延びており、前記骨アンカー器械は、外面を備えた縫合糸クランプ部材を更に有し、前記縫合糸クランプ部材は、前記ルーメンの遠位端部内に設けられていて、この中で軸方向に動くことができ、前記骨アンカー器械は更に、前記縫合糸クランプ部材の外面と前記ルーメンの内面の各々に設けられていて、骨アンカー器械が骨の一部内に位置していないとき、前記縫合糸クランプ部材を前記ルーメンの遠位端部内に保持する相補形係合構造を有し、前記相補形係合構造は、前記縫合糸クランプ部材の外面と前記ルーメンの内面のうちの一方に設けられた突出部材と、前記縫合糸クランプ部材の外面と前記ルーメンの内面の他方に設けられていて、前記突出部材を受け入れる凹部とからなることを特徴とする骨アンカー器械。
【請求項１５】  前記突出部材は、ピンであることを特徴とする請求項１４記載の骨アンカー器械。
【請求項１６】  結合組織を骨に取り付ける骨アンカー器械であって、外面を備えた外側本体と、前記外側本体を軸方向に貫通して延びるルーメンとを有し、前記外側本体の近位部分内の前記ルーメンを構成する内壁が、前記近位部分の遠位側における前記外側本体の一部内の前記ルーメンを構成する内壁に対して内方に延びており、前記骨アンカー器械は、前記ルーメンの遠位部分内に設けられていて、この中で軸方向に動くことができる縫合糸クランプ部材と、前記外側本体の外面に設けられていて、前記外側本体を周囲の骨内に繋留する少なくとも１つの外方に伸長可能なリブとを更に有し、前記外側本体の前記ルーメンを構成する前記内壁は、前記少なくとも１つの外方に伸長可能なリブを外方に伸長させるとき、外方に移動しないことを特徴とする骨アンカー器械。
【請求項１７】  前記少なくとも１つの外方に伸長可能なリブは、複数の外方に伸長可能なリブから成ることを特徴とする請求項１６記載の骨アンカー器械。
【請求項１８】  前記縫合糸クランプ部材は、これに沿って近位側の方向に内方にテーパした外壁を備える楔部材から成ることを特徴とする請求項１６記載の骨アンカー器械。
【請求項１９】  前記ルーメンを貫通した状態で前記楔部材の遠位湾曲表面の周りに延びる縫合糸を更に有し、前記縫合糸は、前記骨アンカー器械から近位側へ延びる自由端部及び前記骨に固定されるべき軟組織に取り付けられた結合端部を有し、前記自由端部を近位側に向いた力により引張状態で配置したとき、縫合糸は、前記結合端部に加わる張力の増大により前記縫合糸が前記楔部材を近位側の方向に軸方向に動かすまで前記楔部材の周りに進み、前記楔部材の近位側への軸方向移動は、楔部材の近位表面が、内方に延びるルーメン内壁に対し、前記縫合糸クランプ部材の近位表面と内方に延びるルーメン内壁との間に位置したテーパしている遠位ルーメン内の前記縫合糸の長さ部分を挟むのに十分近接するところに動くまで続くことを特徴とする請求項１６記載の骨アンカー器械。
【請求項２０】  前記外側本体は、遠位アンカー部分を有し、前記骨アンカー器械は、前記遠位アンカー部分の近位端部に連結された近位ドライバー部分を更に有していることを特徴とする請求項１６記載の骨アンカー器械。
【請求項２１】  前記近位ドライバー部分は、前記少なくとも１つの外方に伸長可能なリブを外方に伸長させるアクチュエータを有していることを特徴とする請求項２０記載の骨アンカー器械。
【請求項２２】  前記遠位アンカー部分と前記近位ドライバー部分との連結接合部は、設計破壊点から成り、したがって、前記少なくとも１つの外方に伸長可能なリブをその伸長位置に展開した際、更に力を加えるとドライバー部分をアンカー部分から分離してドライバー部分だけを患者の身体から近位側へ取り出すことができるようになっていることを特徴とする請求項２１記載の骨アンカー器械。
【請求項２３】  結合組織を骨に取り付ける骨アンカー器械であって、外方に展開可能な繋留要素が設けられた外面を備える外側本体を有する遠位楔アンカー部分と、前記遠位楔アンカー部分にその近位端部のところで連結された近位ドライバー部分とを有し、前記ドライバー部分は、前記繋留要素を外方に展開するアクチュエータを有し、前記近位ドライバー部分と前記遠位楔アンカー部分との連結部は、繋留要素をいったん展開すると解除でき、前記骨アンカー器械は、前記遠位楔アンカー部分内で動くことができる縫合糸クランプ部材と、前記縫合糸クランプ部材に近接して配置された１本の縫合糸とを更に有していることを特徴とする骨アンカー器械。
【請求項２４】  前記遠位アンカー部分と前記近位ドライバー部分との連結接合部は、設計破壊点から成り、したがって、前記少なくとも１つの外方に伸長可能なリブをその伸長位置に展開した際、更に力を加えるとドライバー部分をアンカー部分から分離してドライバー部分だけを患者の身体から近位側へ取り出すことができるようになっていることを特徴とする請求項２３記載の骨アンカー器械。
【請求項２５】  前記遠位楔アンカー部分は、前記外側本体を軸方向に貫通して延びるルーメンを更に有し、前記外側本体の近位部分内の前記ルーメンを構成する内壁が、前記近位部分の遠位側における前記外側本体の一部内の前記ルーメンを構成する内壁に対して内方に延びており、前記縫合糸クランプ部材は、前記ルーメンの遠位部分内に設けられていて、この中で軸方向に動くことができることを特徴とする請求項２３記載の骨アンカー器械。
【請求項２６】  前記縫合糸は、前記ルーメンを貫通した状態で前記縫合糸クランプ部材の遠位表面の周りに延び、前記縫合糸は、前記骨アンカー器械から近位側へ延びる自由端部及び前記骨に固定されるべき軟組織に取り付けられた結合端部を有し、前記自由端部を近位側に向いた力により引張状態で配置したとき、縫合糸は、前記結合端部に加わる張力の増大により前記縫合糸が前記楔部材を近位側の方向に軸方向に動かすまで前記楔部材の周りに進み、前記楔部材の近位側への軸方向移動は、楔部材の近位表面が、内方に延びるルーメン内壁に対し、前記縫合糸クランプ部材の近位表面と内方に延びるルーメン内壁との間に位置したテーパしている遠位ルーメン内の前記縫合糸の長さ部分を挟むのに十分近接するところに動くまで続くことを特徴とする請求項２５記載の骨アンカー器械。
【請求項２７】  結合組織を骨に取り付ける骨アンカー器械であって、長手方向軸方向、遠位端部及び近位端部を備えた本体と、前記本体の遠位端部に設けられている表面であって、前記表面の遠位部分からその近位部分に向かって前記軸線のほうへ内方に傾斜した表面と、近位側位置と遠位側位置との間で前記傾斜した表面に対して軸方向に近づいたり、これから遠ざかる縫合糸繋留部材とを有し、前記縫合糸繋留部材は、遠位端面及び互いに反対側に位置した軸方向表面を有し、前記遠位端面及び互いに反対側に位置した軸方向表面は全て、縫合糸繋留部材に巻き付けられた縫合糸材料に接触する縫合糸受入れ表面を構成し、前記骨アンカー器械は、前記縫合糸繋留部材の周りに設けられた１本の縫合材料を更に有し、前記縫合糸繋留部材が前記近位側位置にあるとき、前記縫合糸材料は、前記縫合糸繋留部材と前記本体の表面との間にクランプされるようになっていることを特徴とする骨アンカー器械。
【請求項２８】  前記縫合材料は、前記遠位端面及び互いに反対側に位置した軸方向表面の各々と物理的に接触した状態にあることを特徴とする請求項２７記載の骨アンカー器械。
【請求項２９】  前記互いに反対側に位置した軸方向表面のうちの一方は、前記繋留部材の幅がその遠位端部からその近位端部までテーパするよう傾斜していることを特徴とする請求項２７記載の骨アンカー器械。
【請求項３０】  前記傾斜した軸方向表面及び前記内方に傾斜した本体遠位端面は互いに協働して、テーパした遠位ルーメンを構成していることを特徴とする請求項２９記載の骨アンカー器械。
【請求項３１】  結合組織を骨に取り付ける骨アンカー器械であって、外側本体と、前記外側本体を軸方向に貫通して延びるルーメンとを有し、前記ルーメンは、内壁によって構成されていて、前記外側本体の遠位部分の中よりもその近位部分の中のほうが断面が小さく、前記内壁が少なくとも部分的に近位側の方向に内方へテーパするようになっており、前記骨アンカー器械は、前記ルーメンの遠位端部内に設けられた楔部材を更に有し、前記楔部材は、前記楔部材の近位部分の断面がその遠位部分の断面よりも小さくなるようにこれに沿って近位側の方向に内方にテーパした外壁を有し、前記楔部材は、前記ルーメンの遠位端部内で軸方向に動くことができ、前記骨アンカー器械は、前記楔部材内に軸方向に設けられたルーメンをさらに有し、前記楔部材のルーメンは、前記外側本体のルーメンと実質的に同一の向きで設けられていることを特徴とする骨アンカー器械。